(57)【要約】【課題】  管材の肉厚を大としたり、強度の高い管材を使用したりすることなく、脚フレーム全体の強度を大とし、軽量で安価な椅子を提供する。【解決手段】  管材により形成され、前方に開口する平面視コ字状のベースフレーム６と、その左右の前端より、弧状をなすコーナーフレーム７を介して起立する左右１対の支持フレーム８とからなる脚フレーム２における左右１対の支持フレーム８に座４と背凭れ３を取付けてなる椅子１において、左右１対の支持フレーム８を円形断面のものとするとともに、左右のコーナーフレーム７の横断面形を、前後寸法が左右寸法よりも大きい長円状とし、かつベースフレーム６における側部フレーム６ａの縦断面形を、上下寸法が左右寸法よりも大きい長円状とする。【選択図】  図１
2006314420.tif 000002
【特許請求の範囲】
【請求項１】
管材により形成され、前方又は後方に開口する平面視コ字状のベースフレームと、その左右の前端又は後端より、弧状をなすコーナーフレームを介して起立する左右１対の支持フレームとからなる脚フレームにおける前記左右１対の支持フレームに座と背凭れを取付けてなる椅子において、前記左右１対の支持フレームを円形断面のものとするとともに、前記左右のコーナーフレームの横断面形を、前後寸法が左右寸法よりも大きい長円状とし、かつ前記ベースフレームにおける少なくとも左右の前後方向を向く側部フレームの縦断面形を、上下寸法が左右寸法よりも大きい長円状としたことを特徴とする椅子。
【請求項２】
コーナーフレームと側部フレームとを、円形断面の管材の両側面を両側方より押圧して塑性変形させることにより、長円状の断面としてなる請求項１記載の椅子。
【請求項３】
コーナーフレーム内に補強管を嵌合し、その部分を二重管構造としてなる請求項１または２記載の椅子。
【請求項４】
左右の支持フレームの上端開口部内に、背凭れが取付けられた左右１対の背凭れ支持杆の下端部を圧嵌してなる請求項１〜３のいずれかに記載の椅子。
【請求項５】
コーナーフレームと側部フレームの左右幅を等しくしてなる請求項１〜４のいずれかに記載の椅子。
【請求項６】
ベースフレームにおける側部フレーム間の左右幅を、前方または後方に向かって漸次拡開させるとともに、座を上向きに回動可能に取付けてなる請求項１〜５のいずれかに記載の椅子。
【発明の詳細な説明】
【技術分野】
【０００１】
本発明は、前方又は後方に開口する平面視コ字状のベースフレームと、その左右の前端又は後端より、弧状をなすコーナーフレームを介して起立する左右１対の支持フレームとからなり、かつ全体が管材により形成された脚フレームを有する椅子に関する。
【背景技術】
【０００２】
この種の脚フレームを有する従来の椅子としては、例えば特許文献１及び２に記載されているものがある。
【特許文献１】特許第２９５８２０８号公報
【特許文献２】実公平７−４８１１２号公報
【発明の開示】
【発明が解決しようとする課題】
【０００３】
上述のような脚フレームを有する椅子においては、座は脚フレームにより片持ちで支持されているため、着座者の荷重が、コーナーフレームとベースフレームに大きな曲げ荷重となって作用する。
【０００４】
そのため、脚フレーム全体が円形断面の管材により形成されている特許文献１に記載の椅子においては、管材の断面形状や肉厚を大としたり、強度の高い高張力鋼等よりなる管材を使用する必要があり、脚フレームの重量が大となるとともに、材料コストも高くなる。
【０００５】
特許文献２に記載されている椅子の脚フレームは、全体が扁平楕円状断面の管材により形成されているため、コーナーフレームとベースフレームの曲げ強度は高い。
【０００６】
しかし、コーナーフレームより上部の左右の支持フレームについては、前後に長い扁平楕円状の断面形状とされ、左右寸法が前後寸法よりも小となっているため、左右方向の荷重に対しての強度が小さく、左右方向にぐら付く恐れがある。
【０００７】
本発明は、上記問題点に鑑みてなされたもので、管材の肉厚を大としたり、強度の高い管材を使用したりすることなく、脚フレーム全体の強度を大としうるようにし、軽量で安価な椅子を提供することを目的としている。
【課題を解決するための手段】
【０００８】
本発明によると、上記課題は、次のようにして解決される。
(１)管材により形成され、前方又は後方に開口する平面視コ字状のベースフレームと、その左右の前端又は後端より、弧状をなすコーナーフレームを介して起立する左右１対の支持フレームとからなる脚フレームにおける前記左右１対の支持フレームに座と背凭れを取付けてなる椅子において、前記左右１対の支持フレームを円形断面のものとするとともに、前記左右のコーナーフレームの横断面形を、前後寸法が左右寸法よりも大きい長円状とし、かつ前記ベースフレームにおける少なくとも左右の前後方向を向く側部フレームの縦断面形を、上下寸法が左右寸法よりも大きい長円状とする。
【０００９】
(２)上記(１)項において、コーナーフレームと側部フレームとを、円形断面の管材の両側面を両側方より押圧して塑性変形させることにより、長円状の断面とする。
【００１０】
(３)上記(１)または(２)項において、コーナーフレーム内に補強管を嵌合し、その部分を二重管構造とする。
【００１１】
(４)上記(１)〜(３)項のいずれかにおいて左右の支持フレームの上端開口部内に、背凭れが取付けられた左右１対の背凭れ支持杆の下端部を圧嵌する。
【００１２】
(５)上記(１)〜(４)項のいずれかにおいてにおいて、コーナーフレームと側部フレームの左右幅を等しくする。
【００１３】
(６)上記(１)〜(５)項のいずれかにおいて、ベースフレームにおける側部フレーム間の左右幅を、前方または後方に向かって漸次拡開させるとともに、座を上向きに回動可能に取付ける。
【発明の効果】
【００１４】
請求項１記載の発明によれば、コーナーフレーム及びベースフレームにおける側部フレームの曲げ強度が大となるので、厚肉の管材や高張力鋼などの管材を用いる必要はなく、一般的な軽量かつ安価な管材により脚フレームを形成することができる。従って、椅子全体を軽量化しうるとともに、コスト低減が図れる。
また、左右の支持フレームは、円形断面とされているため、前後左右方向のみならず、多方向より作用する曲げ荷重に対してバランスのよい強度を有し、ぐら付きなどが防止される。
【００１５】
請求項２記載の発明によれば、円形断面の管材の両側面を、プレス等により単に押圧するだけで、コーナーフレームと側部フレームとを簡単に長円状断面としうるので、コスト的に有利であり、かつ管材の入手も容易となる。
【００１６】
請求項３記載の発明によれば、コーナーフレームの曲げ強度が、より大となるので、左右の支持フレームを大きく後傾させてそれに座や背凭れを取付けうるなど、デザイン的に優れた椅子を提供することができる。
【００１７】
請求項４記載の発明によれば、左右の支持フレームは円形断面をなしているため、その上端に背凭れ支持杆を簡単に圧嵌して取付けることができるとともに、背凭れ支持杆も、安価で寸法精度の出し易い管材により形成することができるので、コストを低減することができる。
【００１８】
請求項５記載の発明によれば、コーナーフレームと側部フレームとは、同じ左右幅で連続するようになるので、特に正面からの見栄えが向上する。
【００１９】
請求項６記載の発明によれば、座を上向きに回動させて、前後の椅子のベースフレーム同士を入れ子状に互いに嵌合することができるので、複数の椅子を前後に重ねてネスティングすることができる。
この際、ベースフレームの側部フレームの断面形状は、長円状とされ、左右寸法が上下寸法より小さくなっているため、前後のベースフレーム同士を深く嵌合することが可能となり、前後の椅子間の間隔が小さくなるので、効率よくネスティングすることができる。
【発明を実施するための最良の形態】
【００２０】
以下、本発明の実施形態を、図面に基づいて説明する。
図１は、本発明を適用した椅子の側面図、図２は、同じく正面図、図３は、同じく、平面図である。
【００２１】
椅子(１)は、脚フレーム(２)と、背凭れ(３)と、座(４)と、左右１対の肘掛け(５)(５)とを備えている。
【００２２】
脚フレーム(２)は、１本の鋼管よりなる管材を折曲して形成したもので、床面に接床する平面視コ字状のベースフレーム(６)と、その左右の前後方向を向く側部フレーム(6a)(6a)の前端から後ろ上方に向かって円弧状に折曲するコーナーフレーム(７)(７)と、その上端より斜後ろ上方に向かって延びる左右１対の支持フレーム(８)(８)とからなっている。
【００２３】
左右の支持フレーム(８)のやや上方寄りの対向面同士は、横フレーム(９)により互いに連結されている。
【００２４】
背凭れ(３)は、左右の支持フレーム(８)の上端開口部内に圧嵌された背凭れ支持杆(10)(10)に取付けられている。
【００２５】
左右の支持フレーム(８)における横フレーム(９)とほぼ等高をなす後面には、座支持ブラケット(11)(11)の前端が、後方を向くように溶接され、両座支持ブラケット(11)には、座(４)の後方寄りの両側部下面に突設された取付片(12)(12)が、左右方向を向く枢軸(13)により、上下に回動自在に枢着されている。
【００２６】
座(４)は、その枢軸部のやや前方の下面が横フレーム(９)の上面に当接することにより、ほぼ水平の使用状態に保持され、またこの状態から上向きに回動することにより、座(４)の前端部上面が背凭れ(３)の前面と当接する不使用状態に折り畳むことができる（図７参照）。
【００２７】
肘掛け(５)は、上部の肘当て杆(14a)の前端に、斜後ろ下方に向かって延出する取付杆(14b)が連設された側面視ほぼくの字状の鋼管よりなる肘掛けフレーム(14)と、肘当て杆(14a)に嵌着された肘当てパッド(15)とからなっている。
【００２８】
肘当て杆(14a)とそれに嵌着された肘当てパッド(15)は、背凭れ(３)及び左右の支持フレーム(８)と近接する外側方においてやや前傾している。
【００２９】
左右の取付杆(14b)は、その左右幅が図２に示す正面視において、上方に向かうにしたがって漸次外側方に拡開するとともに、図３に示す平面視においては、前方に向かうにしたがって漸次外側方に拡開するようにして、それらの下端部が横フレーム(９)の両端部下面に、溶接又はねじにより固着されている。
【００３０】
図４に示すように、支持フレーム(８)の断面形状と、ベースフレーム(６)における左右方向を向く後部フレーム(6b)の断面形状（図示略）は、脚フレーム(２)を形成している管材のままの円形とされている。
【００３１】
図５に示すように、ベースフレーム(６)における側部フレーム(6a)(6a)は、対向面間の左右幅が前方に向かって漸次大となるように外側方に拡開されている。
【００３２】
両側部フレーム(6a)の断面形状は、図６に拡大して示すように、上下寸法が左右寸法よりも大きい長円形とされ、上下方向の曲げ強度を高めている。
【００３３】
また、左右のコーナーフレーム(７)の断面形状は、前後寸法が左右寸法よりも大きい長円形とされ、コーナー部の曲げ強度を高めている。
【００３４】
側部フレーム(6a)とコーナーフレーム(７)とは、その部分の管材の左右両側面をプレス等により強圧して、等しい左右寸法となるように塑性変形させることにより、同じ左右幅で連続している。
なお、上記側部フレーム(6a)とコーナーフレーム(７)の長円形の断面形状には、楕円や扁平楕円、小判形等も含まれる。
【００３５】
コーナーフレーム(７)部内には、補強管(16)が予め嵌合され、この補強管(16)もプレスにより塑性変形させることにより、長円形の断面とされている。これにより、コーナーフレーム(７)の曲げ剛性は極めて大となる。
【００３６】
ベースフレーム(６)における両側部フレーム(6a)の下面には、図５及び図６に示すように、コーナーフレーム(７)と後部フレーム(6b)との連設部に至る長さの上向コ字状断面をなす合成樹脂製の接床部材(17)が、その下方より側部フレーム(６)の下面のめねじ孔(18)に螺合した前後複数の皿ねじ(19)により固着されている。
【００３７】
両接床部材(17)の前後方向の中央部よりもやや後方寄りの内側面には、互いに対向状に内向きに突出するとともに、左右方向を向く前端の当接面(20a)が垂直面をなすストッパ片(20)(20)が、一体的に連設されている。
【００３８】
また、両接床部材(17)の外側面の後端角部には、ほぼＬ字状に切り欠かれたストッパ段部(21)(21)が形成され、その左右方向を向く当接面(21a)は垂直面をなすととともに、左右寸法を、上記ストッパ片(20)の当接面(20a)の左右寸法とほほ等しくしてある。
【００３９】
上記実施形態の椅子(１)においては、ベースフレーム(６)を前方に拡開するコ字状とするとともに、肘当て杆(14a)と肘当てパッド(15)を、支持フレーム(８)と背凭れ(３)の外側方において前傾させ、さらに、肘掛けフレーム(14)における取付杆(14b)を上方と前方に向かって拡開させてあるため、図７に示すように、複数の椅子(１)を、座(４)を上向きの不使用状態に回動させた状態で、前後に入れ子状に重ねて、効率よくネスティングすることができる。
【００４０】
この際、図８に示すように、前部の椅子(１)のベースフレーム(６)に、後部の椅子(１)のベースフレーム(６)が外嵌されるが、それらの嵌合時において、前部のベースフレーム(６)における側部フレーム(6a)の下面に固着した接床部材(17)の後端のストッパ段部(21)の当接面(21a)に、後部のベースフレーム(６)における側部フレーム(6a)の接床部材(17)に設けたストッパ片(20)の当接面(20a)が、垂直面同士で当接する。
【００４１】
これにより、前後のベースフレーム(６)同士の嵌合深さが規制されるようになるため、前後の椅子(１)同士が位置決めされて、互いの間隔が一定に保たれ、肘掛け(５)同士が強く当接して擦り傷が形成されたり、座(４)の表面のクッション材が後部の椅子の横フレーム(９)に強く当接して、押圧痕が形成されたりするのを防止することができる。
また、ベースフレーム(６)同士が、くさび作用により深く嵌合し合うことがなくなるので、ネスティングした椅子同士を引き離し易くなる。
【００４２】
脚フレーム(２)における上下方向に大きな曲げ荷重が作用する部分、すなわちベースフレーム(６)の側部フレーム(6a)の縦断面形状を、上下寸法が左右寸法よりも大きい長円形とするとともに、コーナーフレーム(７)の横断面形状を、前後寸法が左右寸法よりも大きい長円形とし、かつ内部に補強管(16)を嵌合して二重管構造としてあるため、それらの部分の曲げ強度が大となる。
【００４３】
従って、脚フレーム(２)を、厚肉の管材や高張力鋼などの管材を用いる必要はなく、一般的な管材により形成することができるので、椅子全体を軽量化しうるとともに、コスト低減が図れる。
また、コーナーフレーム(７)より上方の支持フレーム(８)は、円形断面とされているため、前後左右方向のみならず、多方向より作用する曲げ荷重に対し、バランスよく対応することができる。
【００４４】
本発明は、肘掛け(５)が取付けられていない椅子や、座(４)が脚フレーム(２)に回動不能に固定されている椅子にも適用することができる。
【００４５】
また、脚フレーム(２)におけるベースフレーム(６)が、上記実施形態とは反対に、後方が開口する後向コ字状をなし、左右の後端より起立する１対の支持フレームに、座や背凭れが取付けられた椅子にも適用することができる。
【図面の簡単な説明】
【００４６】
【図１】本発明の一実施形態を適用した椅子の側面図である。
【図２】同じく、正面図である。
【図３】同じく、平面図である。
【図４】図１のIＶ−IＶ線拡大横断平面図である。
【図５】同じく、Ｖ−Ｖ線拡大横断平面図である。
【図６】図５のＶI−ＶI線拡大縦断面図である。
【図７】椅子をネスティングしたときの側面図である。
【図８】図７のVIII線−VIII線拡大横断平面図である。
【符号の説明】
【００４７】
(１)椅子
(２)脚フレーム
(３)背凭れ
(４)座
(５)肘掛け
(６)ベースフレーム
(6a)側部フレーム
(6b)後部フレーム
(７)コーナーフレーム
(８)支持フレーム
(９)横フレーム
(10)背凭れ支持杆
(11)座支持ブラケット
(12)取付片
(13)枢軸
(14)肘掛けフレーム
(14a)肘当て杆
(14b)取付杆
(15)肘当てパッド
(16)補強管
(17)接床部材
(18)めねじ孔
(19)皿ねじ
(20)ストッパ片
(20a)当接面
(21)ストッパ段部
(21a)当接面
【図１】
2006314420.tif 000003
【図２】
2006314420.tif 000004
【図３】
2006314420.tif 000005
【図４】
2006314420.tif 000006
【図５】
2006314420.tif 000007
【図６】
2006314420.tif 000008
【図７】
2006314420.tif 000009
【図８】
2006314420.tif 000010